(57)【要約】【課題】  報知用のバッテリを設けずに、警戒モード中に商用電源が遮断されたことを報知することができる。【解決手段】  画像形成装置１２は、メインＣＰＵ（２２）を含み、メインＣＰＵは、侵入者を検出したことに応じて、当該侵入者を検出したことを、周囲または／および特定の人物に報知する警戒モード中である場合に、商用電源（９０）が遮断されたかどうかを検出する。商用電源が遮断された場合には、商用電源が遮断されたことを、音声で周囲に報知するとともに、管理者宛てに電子メールを送信することにより報知する。【選択図】  図１
2020060702.tif 000002
【特許請求の範囲】
【請求項１】
侵入者を検出したことに応じて、当該侵入者を検出したことを、周囲または／および特定の人物に報知する警戒モードを備える、画像形成装置であって、
前記警戒モードが設定されている場合に、主電源が遮断されているかどうかを判断する電源判断手段、および
前記電源判断手段によって前記主電源が遮断されていることが判断されたことに応じて、当該主電源が遮断されたことのメッセージを、周囲または／および前記特定の人物に報知する第１報知手段を備える、画像形成装置。
【請求項２】
前記警戒モードが設定されている場合に、ネットワークが遮断されているかどうかを判断するネットワーク判断手段、および
前記ネットワーク判断手段によって前記ネットワークが遮断されていることが判断されたことに応じて、当該ネットワークが遮断されたことのメッセージを、周囲の人物に報知する第２報知手段をさらに備える、請求項１記載の画像形成装置。
【請求項３】
前記警戒モード中に、前記ネットワークが遮断されたことのメッセージを記載した電子メールの送信を予約するための予約コマンドをメールサーバに送信する予約実行手段、
前記予約実行手段によって前記予約コマンドが前記メールサーバに送信されてから予約時間が経過する前に前記電子メールの送信の予約を解除するための解除コマンドを前記メールサーバに送信する予約解除手段、および
前記予約実行手段による予約コマンドの送信および前記予約解除手段によつ解除コマンドの送信を繰り返し実行する実行手段をさらに備える、請求項２記載の画像形成装置。
【請求項４】
侵入者を検出したことに応じて、当該侵入者を検出したことを、周囲または／および特定の人物に報知する警戒モードを備える、画像形成装置で実行される制御プログラムであって、
前記画像形成装置のプロセッサに、
前記警戒モードが設定されている場合に、主電源が遮断されているかどうかを判断する電源判断ステップ、および
前記電源判断ステップにおいて前記主電源が遮断されていることを判断したことに応じて、当該主電源が遮断されたことのメッセージを、周囲または／および前記特定の人物に報知する報知ステップを実行させる、制御プログラム。
【請求項５】
侵入者を検出したことに応じて、当該侵入者を検出したことを、周囲または／および特定の人物に報知する警戒モードを備える、画像形成装置の制御方法であって、
（ａ）前記警戒モードが設定されている場合に、主電源が遮断されているかどうかを判断するステップ、および
（ｂ）前記ステップ（ａ）において前記主電源が遮断されていることを判断したことに応じて、当該主電源が遮断されたことのメッセージを、周囲または／および前記特定の人物に報知するステップを含む、制御方法。
【発明の詳細な説明】
【技術分野】
【０００１】
この発明は、画像形成装置、制御プログラムおよび制御方法に関し、特にたとえば、警戒モードにおいて侵入者を検出したことを報知する、画像形成装置、制御プログラムおよび制御方法に関する。
【背景技術】
【０００２】
この種の背景技術の一例が特許文献１に開示される。この特許文献１に開示されるハードウェア機器は、内蔵バッテリを備えている。ハードウェア機器は、盗難防止モード中に商用電源が断たれると、内蔵バッテリを電源として動作し、警報を発するなどの報知処理を実行する。
【先行技術文献】
【特許文献】
【０００３】
【特許文献１】特開２０１７−９７７７４号公報
【発明の概要】
【発明が解決しようとする課題】
【０００４】
しかしながら、一般的な画像形成装置は、通常、バッテリを備えていないため、背景技術のように、盗難防止モードのような警戒モード中に、商用電源が遮断されても、電源が遮断されたことを報知する報知処理を実行することができない。また、この報知処理を実行するためだけにバッテリを設けることは、現実的ではない。
【０００５】
それゆえに、この発明の主たる目的は、新規な、画像形成装置、制御プログラムおよび制御方法を提供することである。
【０００６】
また、この他の発明の目的は、報知用のバッテリを設けずに、警戒モード中に商用電源およびネットワークが遮断されたことを報知することができる、画像形成装置、制御プログラムおよび制御方法を提供することである。
【課題を解決するための手段】
【０００７】
第１の発明は、侵入者を検出したことに応じて、当該侵入者を検出したことを、周囲または／および特定の人物に報知する警戒モードを備える、画像形成装置であって、警戒モードが設定されている場合に、主電源が遮断されているかどうかを判断する電源判断手段、および電源判断手段によって主電源が遮断されていることが判断されたことに応じて、当該主電源が遮断されたことのメッセージを、周囲または／および特定の人物に報知する第１報知手段を備える、画像形成装置である。
【０００８】
第２の発明は、第１の発明に従属し、警戒モードが設定されている場合に、ネットワークが遮断されているかどうかを判断するネットワーク判断手段、およびネットワーク判断手段によってネットワークが遮断されていることが判断されたことに応じて、当該ネットワークが遮断されたことのメッセージを、周囲の人物に報知する第２報知手段をさらに備える。
【０００９】
第３の発明は、第２の発明に従属し、警戒モード中に、ネットワークが遮断されたことのメッセージを記載した電子メールの送信を予約するための予約コマンドをメールサーバに送信する予約実行手段、予約実行手段によって予約コマンドがメールサーバに送信されてから予約時間が経過する前に電子メールの送信の予約を解除するための解除コマンドをメールサーバに送信する予約解除手段、および予約実行手段による予約コマンドの送信および予約解除手段によつ解除コマンドの送信を繰り返し実行する実行手段をさらに備える。
【００１０】
第４の発明は、侵入者を検出したことに応じて、当該侵入者を検出したことを、周囲または／および特定の人物に報知する警戒モードを備える、画像形成装置によって実行される制御プログラムであって、画像形成装置のプロセッサに、警戒モードが設定されている場合に、主電源が遮断されているかどうかを判断する電源判断ステップ、および電源判断ステップにおいて主電源が遮断されていることを判断したことに応じて、当該主電源が遮断されたことのメッセージを、周囲または／および特定の人物に報知する報知ステップを実行させる、制御プログラムである。
【００１１】
第５の発明は、侵入者を検出したことに応じて、当該侵入者を検出したことを、周囲または／および特定の人物に報知する警戒モードを備える、画像形成装置の制御方法であって、（ａ）警戒モードが設定されている場合に、主電源が遮断されているかどうかを判断するステップ、および（ｂ）ステップ（ａ）において主電源が遮断されていることを判断したことに応じて、当該主電源が遮断されたことのメッセージを、周囲または／および特定の人物に報知するステップを含む、制御方法である。
【発明の効果】
【００１２】
この発明によれば、報知用のバッテリを設けずに、警戒モード中に商用電源およびネットワークが遮断されても、遮断されたことを報知することができる。
【００１３】
この発明の上述の目的，その他の目的，特徴および利点は、図面を参照して行う以下の実施例の詳細な説明から一層明らかとなろう。
【図面の簡単な説明】
【００１４】
【図１】図１は情報処理システムの構成の一例を示す図である。
【図２】図２は図１に示す画像形成装置の電気的な構成の一例を示すブロック図である。
【図３】図３は図１に示す画像形成装置の電源部の構成の一例を示すブロック図である。
【図４】図４は図３に示すメイン電源の構成の一例を示す図である。
【図５】図５（Ａ）は商用電源の電圧波形を示す波形図であり、図５（Ｂ）はＦＷ信号波形を示す波形図である。
【図６】図６は図２に示す画像形成装置のＲＡＭのメモリマップの一例を示す図である。
【図７】図７は図２に示す画像形成装置のメインＣＰＵの制御処理の一例の一部を示すフロー図である。
【図８】図８は図２に示す画像形成装置のメインＣＰＵの制御処理の一例の他の一部であって、図７に後続するフロー図である。
【図９】図９は第２実施例の画像形成装置のメインＣＰＵの予約処理の一例およびメールサーバのＣＰＵの予約送信処理の一例を示すフロー図である。
【発明を実施するための形態】
【００１５】
以下、本発明の実施形態について添付図面を参照して詳細に説明する。
［第１実施例］
図１は、第１実施例の情報処理システム１０の構成の一例を示す図である。図１に示すように、情報処理システム１０は、画像形成装置１２およびメールサーバ１４を含み、画像形成装置１２はＬＡＮおよび／またはインターネットのようなネットワーク１６を介してメールサーバ１４に接続される。
【００１６】
画像形成装置１２は、この第１実施例では、複写機能、プリンタ機能、スキャナ機能およびファクシミリ機能などを有する複合機（MFP : Multifunction Peripheral）であるが、複写機（コピー機）や印刷装置（プリンタ）またはファクシミリ等の他の画像形成装置にも適用可能である。
【００１７】
メールサーバ１４は、汎用のメールサーバであり、図示は省略するが、プロセッサ、ＲＡＭおよび通信部を含む種々のコンポーネントを備えている。
【００１８】
図２は、図１に示す画像形成装置１２の電気的な構成を示すブロック図である。図２に示すように、画像形成装置１２は、メインＣＰＵ２２を含み、メインＣＰＵ２２は、バス２０を介して、ＲＡＭ２４、タッチパネル制御回路２６、表示制御回路３０、画像形成部３４、画像読取部３６、音声出力部３８、人感センサ４０、有線通信部４２、ＥＥＰＲＯＭ４４および電源制御ＣＰＵ４６に接続される。また、画像形成装置１２は、タッチパネル２８、ディスプレイ３２、電源制御回路４８および電源部５０を含み、タッチパネル２８はタッチパネル制御回路２６に接続され、ディスプレイ３２は表示制御回路３０に接続される。さらに、詳細は後述するが、電源部５０は信号線５２および信号線５４を介して、電源制御ＣＰＵ４６に接続され、電源制御回路４８は信号線５６を介して電源制御ＣＰＵ４６に接続される。
【００１９】
メインＣＰＵ２２は、画像形成装置１２の全体的な制御を司る。ＲＡＭ２４は、メインＣＰＵ２２および電源制御ＣＰＵ４６のワーク領域およびバッファ領域として用いられる。
【００２０】
タッチパネル制御回路２６は、タッチパネル２８に必要な電圧等を付与するとともに、タッチパネル２８のタッチ有効範囲内でのタッチ操作またはタッチ入力を検出して、その触れた位置の座標データをメインＣＰＵ２２に出力する。
【００２１】
タッチパネル２８は、ディスプレイ３２の表示面上に設ける。タッチパネル２８としては、静電容量方式、電磁誘導方式、抵抗膜方式および赤外線方式等の任意のものを用いることができる。また、タッチパネル２８とディスプレイ３２を一体型にした、タッチパネルディスプレイが用いられてもよい。
【００２２】
表示制御回路３０は、ＧＰＵおよびＶＲＡＭなどを含み、メインＣＰＵ２２の指示の下、ＧＰＵは、ＲＡＭ２４に記憶された画像生成データ４０４ｂを用いてディスプレイ３２に種々の画面を表示するための表示用画像データをＶＲＡＭに生成し、生成した表示画像データをディスプレイに３２に出力する。
【００２３】
ディスプレイ３２は、ＬＣＤあるいはＥＬ（Electro-Luminescence）ディスプレイなどの汎用の表示装置である。
【００２４】
画像形成部３４は、感光体ドラム、帯電装置、露光装置、現像装置、転写装置および定着装置等を備え、紙面上に乾式電子写真方式を用いて画像を形成する。紙面へ形成するための画像データには、画像読取部３６で読取済みの画像データあるいは外部の情報処理装置等から送られた画像データを用いる。また、記録媒体には、紙からなる用紙だけに限定されない。
【００２５】
画像読取部３６は、光源、複数のミラー、結像レンズおよびラインセンサ等を備える。この画像読取部３６は、原稿表面を原稿表面から反射した反射光を複数のミラーによって結像レンズに導く。そして、結像レンズによって反射光をラインセンサの受光素子に結像させる。ラインセンサでは、受光素子に結像した反射光の輝度または色度が検出され、受光素子に結像した反射光の輝度または色度が検出され、原稿表面の画像に基づく読取画像データが生成される。また、ラインセンサにはＣＭＯＳ（Complementary Metal Oxide Semiconductor）やＣＣＤ（Charge Coupled Device）等が用いられる。
【００２６】
音声出力部３８は、スピーカ、Ｄ／Ａコンバータおよび増幅器等を備える。Ｄ／Ａコンバータおよび増幅器は、デジタル音声信号をアナログ信号に変換し、増幅してスピーカに出力する。スピーカは、このアナログ音声信号を受けて音声を出力する。
【００２７】
人感センサ４０は、画像形成装置１２の前方（正面側）に人が存在するかどうかを判断するためのセンサである。この人感センサ４０としては、焦電センサ（赤外線センサ）、光学式測距センサまたは超音波センサ等が用いられる。人感センサ４０で検出可能な距離（最大距離）よりも短い所定距離（たとえば、３〜５ｍ）を半径とする画像形成装置１２の前方の半円の部分が検出領域として設定され、人感センサ４０の検出結果に基づいて検出領域内の人または物が検出される。
【００２８】
有線通信部４２は、ＩＥＥＥ８０２．３規格の１０ＢＡＳＥ−Ｔおよび１００ＢＡＳＥ−ＴＸに対応するＲＬ−４５規格の接続用コネクタ、ネットワーク１６に接続するための有線通信回路およびネットワーク１６の遮断を検出するためのリンクパルス検出回路を含む。
【００２９】
有線通信回路は、メインＣＰＵ２２の指示により、ネットワーク１６を介して通信を行う。一例として、有線通信部４２は、Ｅｔｈｅｒｎｅｔ（登録商標）等の通信規格に準拠した有線通信方式に基づき、データの送受信を行う。一方、リンクパルス検出回路は、コネクタおよびＬＡＮケーブル等を介して画像形成装置１２に接続されるネットワーク１６上の装置から、一定の周期（２５〜５０ｍｓ）で送信されるリンクパルス信号を検出する。
【００３０】
ＥＥＰＲＯＭ４４は、不揮発性のメモリであり、ユーザによって設定された各種の情報、画像形成装置１２のステータスの情報などの様々な情報を記憶する。ただし、フラッシュメモリやＨＤＤ等の他の不揮発性メモリを用いてもよい。
【００３１】
なお、図２に示す画像形成装置１２の電気的構成は単なる一例であり、これに限定される必要はない。
【００３２】
上記のような画像形成装置１２は、警戒モードを備えており、この警戒モードは、画像形成装置１２が備えるプロセスユニット、現像ユニット、トナーおよび記録紙などの消耗品の盗難を防止することを目的として、予め設定された時間帯において侵入者を検出した場合に、侵入者を検出したことを報知する処理（以下、「報知処理」という）を実行するモードである。一例として、画像形成装置１２が、オフィスに設置される場合には、時間帯（すなわち、警戒モードの開始時刻および終了時刻）は、就業終了時から次の就業開始時に設定される。ただし、管理者のような特定の人物の操作によって、警戒モードが開始されたり、終了されたりする場合もある。
【００３３】
警戒モード中では、画像形成装置１２は、人感センサ４０の出力に基づいて検出領域内で人または物を検出すると、侵入者を検出したことのメッセージを、音声で音声出力部３８（スピーカ）から出力するとともに、電子メールで管理者などの特定の人物のコンピュータに送信する報知処理を実行する。
【００３４】
しかしながら、警戒モード中に、ブレーカが落とされたり、画像形成装置１２の主電源スイッチ７２（図３および図４参照）がオフされたり、画像形成装置１２の電源ケーブルが抜かれたりすることにより、商用電源９０が遮断されると、つまり、主電源がオフされると、画像形成装置１２は、上記のような報知処理を実行することができず、消耗品を盗難されるリスクが高くなる。このようなリスクを回避するために、画像形成装置１２にバッテリを設ければ、商用電源９０が遮断されたとしても、バッテリを電源として用いることにより、上記のような報知処理を実行することは可能であるが、この報知処理のためだけにバッテリを設けることは、現実的ではない。
【００３５】
また、画像形成装置１２は、ＬＡＮケーブルが抜かれる等により、ネットワーク１６が遮断されると、報知処理を実行しても、侵入者を検出したことのメッセージを記載した電子メールを、メールサーバまたは宛先のコンピュータに送信することができないが、ネットワーク１６が遮断されたことを報知する報知機能を備えていないため、ネットワーク１６のみが遮断された場合には、そのことを報知することができない。
【００３６】
このような不都合を回避するために、この第１実施例では、報知用のバッテリを設けずに、商用電源９０が遮断されたことまたはネットワーク１６が遮断されたことを報知する報知処理を実行可能にする。
【００３７】
図３は、図１に示す画像形成装置１２の電源部５０の構成を示すブロック図である。ただし、図３においては、斜線を付した線は電力線を示し、斜線を付していない線は信号線またはバスを示す。
【００３８】
図３に示すように、電源部５０は、常駐電源７４およびメイン電源７６を含み、常駐電源７４およびメイン電源７６は、主電源スイッチ７２を介してコンセントプラグ７０に電力線で接続される。コンセントプラグ７０が壁ソケットなどに挿し込まれることにより、電源部５０に商用電源９０（図４参照）からの電力（交流電圧）が供給される。また、常駐電源７４は、電源制御ＣＰＵ４６に電力線で接続され、メイン電源７６は、電源制御回路４８を介して各コンポーネントおよびメインＣＰＵ２２に電力線で接続される。
【００３９】
また、電源制御ＣＰＵ４６は、信号線５２および信号線５４を介してメイン電源７６に接続され、信号線５６を介して電源制御回路４８に接続される。また、上述したように、電源制御ＣＰＵ４６は、バス２０を介してメインＣＰＵ２２に接続される。図２では省略したが、電源制御ＣＰＵ４６には、電源ボタン７８が接続される。電源ボタン７８のオン／オフにより、電源制御ＣＰＵ４６を動作／停止させ、メイン電源７６を制御する。
【００４０】
常駐電源７４は、スイッチング電源であり、商用電源９０から供給される交流電圧を降圧および整流した直流電圧を電源制御ＣＰＵ４６に印加する。メイン電源７６は、常駐電源７４と同様にスイッチング電源であり、商用電源９０から供給される交流電圧を降圧および整流した直流電圧を電源制御回路４８に印加する。電源制御回路４８は、電源制御ＣＰＵ４６の指示に従って、メインＣＰＵ２２および他の回路コンポーネントへの電力供給をオン／オフする。ただし、電源制御回路４８は、メイン電源７６から与えられる直流電圧を、必要に応じて昇圧または降圧する。
【００４１】
ただし、この第１実施例では、メイン電源７６は、スイッチング電源の回路７６ａの他に、商用電源９０が遮断されたことを検出するための回路７６ｂを含む。
【００４２】
また、この第１実施例では、常駐電源７４のスイッチング電源の回路は、後述する回路７６ａ（図４参照）と同様であるが、常駐電源７４のＦＥＴ（スイッチング素子）のスイッチングは、電源制御ＣＰＵ４６によらずに、主電源スイッチ７２のオン／オフにより制御される。
【００４３】
図４は、図３に示すメイン電源７６の構成の一例を示す図である。図４に示すように、メイン電源７６は、上述したように、回路７６ａおよび回路７６ｂを含む。回路７６ａは、トランス９６を含み、トランス９６の入力側（１次側）に設けられるコイル９６ａの一方端は、ブリッジダイオード９２を介して商用電源９０に接続される。ただし、図４では、コンセントプラグ７０を省略してある。また、商用電源９０とブリッジダイオード９２の間であり、一方の電源ラインには上述した主電源スイッチ７２が設けられる。
【００４４】
また、回路７６ａは、電解コンデンサ（以下、単に「コンデンサ」という）９４を含み、コンデンサ９４の一方端は、ブリッジダイオード９２のプラス側の出力端とトランス９６の１次側のコイル９６ａの接続点に接続される。コイル９６ａの他方端は、電界効果トランジスタ（以下、「ＦＥＴ」という）９８を介して、ブリッジダイオード９２のマイナス側の出力端に接続される。コンデンサ９４の他方端は、ブリッジダイオード９２とＦＥＴ９８の接続点に接続される。
【００４５】
ただし、商用電源９０は、ブリッジダイオード９２の入力端に接続される。また、ＦＥＴ９８のドレインがコイル９６ａに接続され、ソースがブリッジダイオード９２に接続され、ゲートが信号線５２を介して電源制御ＣＰＵ４６に接続される。
【００４６】
トランス９６の出力側（２次側）に設けられるコイル９６ｂの一方端は、ダイオード１００のアノードに接続され、ダイオード１００のカソードは出力端子１０４に接続される。ダイオード１００と出力端子１０４の接続点にはコンデンサ１０２の一方端が接続され、コンデンサ１０２の他方端は、コイル９６ｂの他方端と出力端子１０６の接続点に接続される。出力端子１０４および出力端子１０６は電源制御回路４８に接続される。
【００４７】
なお、図示は省略するが、出力端子１０４は、フィードバック回路（図示せず）を介して電源制御ＣＰＵ４６に接続される。
【００４８】
また、この第１実施例では、スイッチング素子として、ＦＥＴ９８を用いるようにしているが、トランジスタを用いてもよい。
【００４９】
回路７６ａでは、主電源スイッチ７２がオンされると、商用電源９０からの交流電流がブリッジダイオード９２で全波整流され、コンデンサ９４で平滑され、直流に変換される。電源制御ＣＰＵ４６からの制御信号に応じて、ＦＥＴ９８がスイッチング（オン／オフを繰り返すこと）されることにより、トランス９６の１次側のコイル９６ａにおいて、直流電流が高周波の電流に変換される。したがって、トランス９６の１次側のコイル９６ａに起電力が発生する。すると、トランス９６の２次側のコイル９６ｂにエネルギー（交流）が伝達される。つまり、２次側のコイル９６ｂに起電力が誘起される。ただし、コイル９６ｂでは、コイル９６ａとコイル９６ｂの巻数比に応じた起電力（交流電圧）が発生する。コイル９６ｂに流れる交流電流は、ダイオード１００で整流され、コンデンサ１０２で平滑され、出力端子１０４および１０６から直流電流が出力端子１０４から出力される。
【００５０】
なお、図示は省略するが、出力端子１０４と出力端子１０６の間にかかる直流電圧の電圧値がフィードバック回路（図示せず）で検出され、電源制御ＣＰＵ４６にフィードバックされる。電源制御ＣＰＵ４６は、フィードバックされる電圧値に基づいてＦＥＴ９８のオン（またはオフ）の期間の長さを制御する。
【００５１】
また、回路７６ｂは、トランス１０８を含み、トランス１０８の１次側のコイル１０８ａは商用電源９０に接続される。なお、コンセントプラグ７０を省略している点と、主電源スイッチ７２が設けられている点は、回路７６ａの場合と同じである。
【００５２】
トランス１０８の２次側のコイル１０８ｂの一方端はダイオード１１０のアノードに接続され、ダイオード１１０のカソードはＦＷ信号生成器１１２に接続される。また、コイル１０８ｂの他方端はＦＷ信号生成器１１２に接続される。ＦＷ信号生成器１１２の出力端は信号線５４を介して電源制御ＣＰＵ４６に接続される。
【００５３】
ここで、ＦＷ信号生成器１１２は、商用電源９０から供給される電力に基づいてフルウエーブ（ＦＷ）信号を生成するための回路である。詳細な説明は省略するが、ＦＷ信号生成器１１２は、商用電源９０から供給される交流電圧のゼロクロスでハイレベルとなるパルス波形のＦＷ信号を生成する。図５（Ａ）に示すように、商用電源９０の交流電圧の波形は所定の周波数（日本では、５０Ｈｚまたは６０Ｈｚ）で振幅が変化する。商用電源９０は、トランス１０８およびダイオード１１０で整流され、交流電圧のプラス側がハイレベルとなる方形波（直流電圧）に変換される。ＦＷ信号生成器１１２は、この方形波がローレベルからハイレベルに変化する立ち上がりのエッジと、ハイレベルからローレベルに変化する立ち下りのエッジでハイレベルになるパルス波形すなわちＦＷ信号を生成する。つまり、図５（Ｂ）に示すようなＦＷ信号が生成される。ＦＷ信号生成器１１２は、生成したＦＷ信号を電源制御ＣＰＵ４６に出力する。
【００５４】
したがって、商用電源９０が遮断された場合には、パルスの無いローレベルのＦＷ信号が生成される。この第１実施例では、電源制御ＣＰＵ４６は、第１所定時間（たとえば、商用電源９０の交流電圧波形２サイクル程度）以上、ローレベルのＦＷ信号を検出すると、商用電源９０が遮断されたことを検出し、メインＣＰＵ２２に商用電源９０が遮断されたことを通知する。したがって、メインＣＰＵ２２は、商用電源９０が遮断されたことのメッセージを、音声で音声出力部３８から出力するとともに、電子メールで管理者等のコンピュータ宛てに有線通信部４２を介して送信する。つまり、商用電源９０が遮断されたことの報知処理が実行される。
【００５５】
商用電源９０が遮断されたとしても、ＦＥＴ９８のスイッチングは継続されるため、コンデンサ１０２により保持された電荷により、メイン電源７６から出力される直流電圧はなだらかに低下する。したがって、メインＣＰＵ２２、ＲＡＭ２４、音声出力部３８、有線通信部４２および電源制御ＣＰＵ４６などの報知処理を実行するのに必要な回路コンポーネントが動作できないほど、メイン電源７６から出力される直流電源圧が低下するまでに、上記の報知処理が実行される。
【００５６】
また、この第１実施例の画像形成装置１２は、ＬＡＮケーブルを介して、ネットワーク１６に接続される。つまり、画像形成装置１２は、ネットワーク１６上のコンピュータなどの他の装置と通信可能に接続される。画像形成装置１２およびネットワーク１６上の装置は、互いに物理的な接続を確認するためのリンクパルス信号を一定の周期（２５〜５０ｍｓ）で送信し、互いにリンクパルス信号を受信（または検出）することで、物理的な接続が確立していることを確認する。したがって、メインＣＰＵ２２は、リンクパルス信号を一定の周期内で検出できない場合には、ネットワーク１６が遮断されたと判断し、ネットワーク１６が遮断されたことを報知する報知処理を実行する。この第１実施例では、ネットワーク１６が遮断されたことのメッセージを、音声で音声出力部３８から出力する。つまり、ネットワーク１６が遮断されたことの報知処理が実行される。
【００５７】
なお、この第１実施例では、報知処理では、音声、または、音声および電子メールでメッセージを報知するようにしてあるが、音声に代えて、または、音声とともに警告ランプ（図示せず）を点灯または／および明滅させるようにしてもよい。警告ランプの点灯などに代えて、ディスプレイ３２にメッセージを表示しても良いと考えられるが、消費電力が大きくなってしまうため、商用電源９０が遮断された場合には、適切な報知処理とは言えない。
【００５８】
このように、この第１実施例の画像形成装置１２は、警戒モード中において、侵入者を検出したことを報知する報知処理を実行するのみならず、商用電源９０が遮断されたことを報知する報知処理、およびネットワーク１６が遮断されたことを報知する報知処理も実行する。
【００５９】
図６は、図２に示す画像形成装置１２のＲＡＭ２４のメモリマップ４００の一例を示す図である。図６に示すように、ＲＡＭ２４は、プログラム記憶領域４０２およびデータ記憶領域４０４を含む。ＲＡＭ２４のプログラム記憶領域４０２には、画像形成装置１２の制御プログラムを記憶し、制御処理プログラムは、通信プログラム４０２ａ、操作検出プログラム４０２ｂ、画像生成プログラム４０２ｃ、表示プログラム４０２ｄ、電源制御プログラム４０２ｅ、人検出プログラム４０２ｆ、ネットワーク遮断判断プログラム４０２ｇ、報知プログラム４０２ｈ、商用電源遮断判断プログラム４０２ｉおよび通知プログラム４０２ｊなどを含む。
【００６０】
ただし、商用電源遮断判断プログラム４０２ｉおよび通知プログラム４０２ｊは、電源制御ＣＰＵ４６で実行されるプログラムであり、他のプログラム４０２ａ〜４０２ｈは、メインＣＰＵ２２で実行されるプログラムである。
【００６１】
通信プログラム４０２ａは、ネットワーク１６との接続状況を判断し、通信が可能であれば有線通信部４２を制御して、データの送受信を行うためのプログラムである。
【００６２】
操作検出プログラム４０２ｂは、画像形成装置１２の各操作部への操作に対応する操作データを検出するためのプログラムである。メインＣＰＵ２２は、この操作検出プログラム４０２ｂに従って、タッチパネル２８がタッチ（または操作）された場合には、タッチパネル２８から出力されたタッチ座標データを操作データ４０４ａとして取得し、バッファに記憶する。なお、電源ボタン７８等のハードウェアのボタンによる入力も同様に取得（または検出）される。
【００６３】
画像生成プログラム４０２ｃは、後述する画像生成データ４０４ｂを用いて、ディスプレイ３２に各種の表示画像表示用画像データを生成するためのプログラムである。
【００６４】
表示プログラム４０２ｄは、画像生成プログラム４０２ｃに従って生成された表示用画像データに対応する表示画像をディスプレイ３２に表示するためのプログラムである。
【００６５】
電源制御プログラム４０２ｅは、各コンポーネントへの電源供給を開始／停止するためのプログラムである。
【００６６】
人検出プログラム４０２ｆは、人感センサ４０の検出結果に基づいて、検出領域内に人または物が存在するかどうかを判断するためのプログラムである。
【００６７】
ネットワーク遮断判断プログラム４０２ｇは、ネットワーク１６が遮断されたかどうかを判断するためのプログラムである。
【００６８】
報知プログラム４０２ｈは、報知用データ４０４ｃを使用して、音声、または、音声および電子メールで、侵入者を検出したこと、商用電源９０が遮断されたこと、または、ネットワーク１６が遮断されたことを報知するためのプログラムである。
【００６９】
商用電源遮断判断プログラム４０２ｉは、商用電源９０が遮断されたかどうかを判断するためのプログラムである。
【００７０】
通知プログラム４０２ｊは、商用電源９０が遮断されたことが判断された場合に、商用電源９０が遮断されたことをメインＣＰＵ２２に通知するためのプログラムである。
【００７１】
データ記憶領域４０４には、操作データ４０４ａ、画像生成データ４０４ｂおよび報知用データ４０４ｃが記憶される。
【００７２】
操作データ４０４ａは、操作検出プログラム４０２ｂに従って検出した操作データであり、時系列に従って記憶される。操作データ４０４ａは、メインＣＰＵ２２の処理に使用された後に削除される。
【００７３】
画像生成データ４０４ｂは、ディスプレイ３２に表示する表示画像に対応する表示画像データを生成するためのポリゴンデータおよびテクスチャーデータ等を含むデータである。
【００７４】
報知用データ４０４ｃは、報知処理に使用するデータであり、第１実施例では、音声で報知するための合成音声のデータと、電子メールで報知するための文書のデータを含む。
【００７５】
また、データ記憶領域４０４には、第１報知フラグ４０４ｄおよび第２報知フラグ４０４ｅが設けられる。
【００７６】
第１報知フラグ４０４ｄは、ネットワーク１６が遮断されたことを報知する報知処理が実行されたかどうかを判断するためのフラグである。第１報知フラグ４０４ｄは、ネットワーク１６が遮断されたことを報知する報知処理が実行された場合にオンされ、この報知処理が実行されていない場合にはオフされる。
【００７７】
第２報知フラグ４０４ｅは、侵入者を検出したことを報知する報知処理が実行されたかどうかを判断するためのフラグである。第２報知フラグ４０４ｅは、侵入者を検出したことを報知する報知処理が実行された場合にオンされ、この報知処理が実行されていない場合はオフされる。
【００７８】
図示は省略するが、データ記憶領域４０４には、制御プログラムの実行に必要な他のデータが記憶されるとともに、制御プログラムの実行に必要な他のフラグおよびカウンタ（タイマ）も設けられる。
【００７９】
図７および図８は、図２に示した画像形成装置１２のメインＣＰＵ２２の制御処理の一例を示すフロー図である。ただし、この制御処理が開始されるときには、主電源スイッチ７２および電源ボタン７８はオンされ、商用電源９０から電力が画像形成装置１２に供給され、画像形成装置１２は使用可能な状態である。
【００８０】
図７に示すように、メインＣＰＵ２２は、制御処理を開始すると、ステップＳ１で、警戒モードを開始するかどうかを判断する。このステップＳ１では、メインＣＰＵ２２は、ユーザの操作によって警戒モードの開始が指示されたかどうか、または、警戒モードの開始時刻になったかどうかを判断する。ただし、メインＣＰＵ２２は、ＲＴＣのような時計回路から現在時刻を取得し、この現在時刻が警戒モードの開始時刻と一致するかどうかを判断する。
【００８１】
ステップＳ１で“ＮＯ”であれば、つまり、警戒モードを開始しない場合には、ステップＳ１１へ進む。一方、ステップＳ１で“ＹＥＳ”であれば、つまり、警戒モードを開始する場合には、ステップＳ３で、第１報知フラグ４０４ｄをオフにし、続くステップＳ５で、第２報知フラグ４０４ｅをオフにする。
【００８２】
次のステップＳ７では、電源制御ＣＰＵ４６から商用電源９０が遮断されたことを通知されたかどうかを判断する。図示は省略するが、電源制御ＣＰＵ４６は、メインＣＰＵ２２の制御処理と並行して、ＦＷ信号に基づいて商用電源９０が遮断されたかどうかを判断するとともに、商用電源９０が遮断された場合に、商用電源９０が遮断されたことをメインＣＰＵ２２に通知するための処理を実行している。
【００８３】
ステップＳ７で“ＮＯ”であれば、つまり、電源制御ＣＰＵ４６から商用電源９０が遮断されたことを通知されてなければ、図８のステップＳ１３へ進む。一方、ステップＳ７で“ＹＥＳ”であれば、つまり、電源制御ＣＰＵ４６から商用電源９０が遮断されたことを通知されれば、ステップＳ９で、商用電源９０が遮断されたことを報知する報知処理を実行して、制御処理を終了する。
【００８４】
ただし、ステップＳ９では、メインＣＰＵ２２は、商用電源９０が遮断されたことのメッセージを、音声で音声出力部３８から出力するとともに、電子メールを有線通信部４２を用いて送信する。このとき、商用電源９０が遮断されたことのメッセージに対応する音声の合成音声データおよび当該メッセージに対応するテキストデータおよびメールアドレスは、報知用データ４０４ｃから取得される。このことは、後述する他の報知処理（Ｓ１７、Ｓ２７）についても同様である。
【００８５】
また、ステップＳ１１では、ステップＳ７と同様に、電源制御ＣＰＵ４６から商用電源９０が遮断されたことを通知されたかどうかを判断する。ステップＳ１１で“ＮＯ”であれば、ステップＳ１へ戻る。一方、ステップＳ１１で“ＹＥＳ”であれば、制御処理を終了する。
【００８６】
図８のステップＳ１３では、ネットワーク１６の遮断を検出したかどうかを判断する。ステップＳ１３で“ＮＯ”であれば、つまり、ネットワーク１６の遮断を検出していなければ、ステップＳ２３へ進む。一方、ステップＳ１３で“ＹＥＳ”であれば、つまり、ネットワーク１６の遮断を検出すれば、ステップＳ１５で、第１報知フラグ４０４ｄがオフかどうかを判断する。
【００８７】
ステップＳ１５で“ＮＯ”であれば、つまり、第１報知フラグ４０４ｄがオンであれば、ステップＳ２１へ進む。一方、ステップＳ１５で“ＹＥＳ”であれば、つまり、第１報知フラグ４０４ｄがオフであれば、ステップＳ１７で、ネットワーク１６が遮断されたことを報知する報知処理を実行し、ステップＳ１９で、第１報知フラグ４０４ｄをオンしてから、ステップＳ２１へ進む。
【００８８】
ステップＳ２１では、警戒モードを終了するかどうかを判断する。このステップＳ２１では、メインＣＰＵ２２は、ユーザの操作によって警戒モードの終了が指示されたかどうか、または、警戒モードの終了時刻になったかどうかを判断する。ただし、メインＣＰＵ２２は、ＲＴＣのような時計回路から現在時刻を取得し、この現在時刻が警戒モードの終了時刻と一致するかどうかを判断する。
【００８９】
ステップＳ２１で“ＮＯ”であれば、つまり、警戒モードの終了でなければ、図７に示したステップＳ７へ戻る。一方、ステップＳ２１で“ＹＥＳ”であれば、つまり、警戒モードの終了であれば、図７に示したステップＳ１へ戻る。
【００９０】
また、ステップＳ２３では、検出領域内で人（つまり、侵入者）を検出したかどうかを判断する。ここでは、メインＣＰＵ２２は、人感センサ４０の出力に基づいて、画像形成装置１２に設定された検出領域内で人（または物）を検出したかどうかを判断する。
【００９１】
ステップＳ２３で“ＮＯ”であれば、つまり、検出領域内で人を検出していなければ、ステップＳ７へ戻る。一方、ステップＳ２３で“ＹＥＳ”であれば、つまり、検出領域内で人を検出すれば、続くステップＳ２５で、第２報知フラグ４０４ｅがオフかどうか判断する。
【００９２】
ステップＳ２５で“ＮＯ”であれば、つまり、第２報知フラグ４０４ｅがオンであれば、ステップＳ２１へ進む。一方、ステップＳ２５で“ＹＥＳ”であれば、つまり、第２報知フラグ４０４ｅがオフであれば、ステップＳ２７で、侵入者を検出したことを報知する報知処理を実行し、ステップＳ２９で、第２報知フラグ４０４ｅをオンしてから、ステップＳ２１に進む。
【００９３】
この第１実施例によれば、報知用のバッテリを設けずに、警戒モード中に商用電源９０が遮断されたことを報知する報知処理およびネットワーク１６が遮断されたことを報知する報知処理が実行可能である。
【００９４】
なお、この第１実施例では、警戒モード中において、ネットワーク１６が遮断されたことを報知する報知処理および侵入者を検出したことを報知する報知処理は、各１回までと設定してあるが、警戒モード中における報知回数は１回に限定される必要はない。たとえば、第１報知フラグ４０４ｄおよび第２報知フラグ４０４ｅを設けずに、第２所定時間（たとえば、数秒から数分程度）または無制限に報知処理を繰り返しても良い。また、たとえば、第１報知フラグ４０４ｄおよび第２報知フラグ４０４ｅがオンされてから第３所定時間（たとえば、数分から数十分程度）が経過すると、第１報知フラグ４０４ｄおよび第２報知フラグ４０４ｅをオフするようにしてもよい。
【００９５】
さらに、この第１実施例において、画像形成装置１２は、メインＣＰＵ２２および電源制御ＣＰＵ４６を備えているが、限定される必要はない。処理能力の高い１つのＣＰＵを設けて、メインＣＰＵ２２および電源制御ＣＰＵ４６の両方の処理を実行するようにしてもよい。
【００９６】
また、この第１実施例においては、説明を省略したが、画像形成装置１２が使用可能な状態である（つまり、通常モードが設定されている）場合に、画像形成装置１２の主電源がオフされると、コピー枚数データ（または課金データ）のような重要な情報のデータをＲＡＭ２４からＥＥＰＲＯＭ４４に記憶（または退避）するようにしてある。ただし、上述したように、警戒モード中では、主電源がオフされると、商用電源９０が遮断されたことを報知する報知処理が実行されるため、警戒モードが開始されたときに、上記の重要な情報のデータはＥＥＰＲＯＭ４４に退避される。警戒モード中では、印刷が実行されないからである。具体的には、重要な情報のデータを退避する処理は、図７のステップＳ１で“ＹＥＳ”と判断してからステップＳ７の処理を実行するまでに実行されるとともに、ステップＳ１１で“ＹＥＳ”と判断してから制御処理が終了されるまでに実行される。
［第２実施例］
第２実施例の画像形成装置１２は、ネットワーク１６が遮断された場合にも、そのことを管理者に電子メールで報知できるようにした以外は第１実施例と同じであるため、重複した内容についての説明は省略する。
【００９７】
第２実施例では、画像形成装置１２は、警戒モードが開始されると、ネットワーク１６を介してメールサーバ１４（メールサーバ１４以外のメールサーバでもよい）へ電子メールの送信予約のコマンド（以下、「予約コマンド」という）を送信する。予約コマンドを受信したメールサーバ１４は、第４所定時間（たとえば、数分から数十分）経過後に、管理者のＰＣへ送信する電子メールの送信を予約する。この電子メールは、ネットワーク１６が遮断されたことを報知するための電子メールである。また、電子メールの送信を予約後、画像形成装置１２は、第４所定時間よりも少し短い時間（第５所定時間）を経過したときに、電子メールの送信予約を解除するコマンド（以下、「解除コマンド」という）をメールサーバ１４へ送信して、電子メールの送信の予約を取り消す。第２実施例では、画像形成装置１２は、警戒モードにおいて、予約コマンドおよび解除コマンドの送信を繰り返し実行する。また、第２実施例では、第５所定時間は、第４所定時間より数秒から数十秒短い時間に設定される。つまり、メールサーバ１４が予約された電子メールを送信する前に、解除コマンドがメールサーバ１４に送信されるように、第５所定時間が設定される。
【００９８】
一方、メールサーバ１４は、予約コマンドを受信すると、第４所定時間をカウントし、第４所定時間を経過するまでに、解除コマンドを受信しない場合には、何らかの理由により、ネットワーク１６が遮断されていると判断し、この場合、予約された電子メールが送信される。したがって、第２実施例では、ネットワーク１６が遮断されたことを管理者にも報知することができる。ただし、メールサーバ１４は、第４所定時間を経過するまでに、解除コマンドを受信すると、電子メールの送信の予約を解除する。
【００９９】
したがって、第２実施例では、制御プログラムには、さらに、予約プログラムが含まれる。予約プログラムは、警戒モード中において、メールサーバ１４へ、予約コマンドを送信するとともに、電子メールが送信されるまでの第４所定時間よりも短い第５所定時間が経過したことに応じて解除コマンドを送信することを繰り返し実行するためのプログラムである。
【０１００】
具体的には、メインＣＰＵ２２は、図９に示すような予約処理のフローを、図７および図８に示した制御処理と並行して実行する。一方、メールサーバ１４のＣＰＵは、図９に示すような予約送信処理のフローを実行する。
【０１０１】
図９に示すように、メインＣＰＵ２２は、予約処理を開始すると、ステップＳ５１で、警戒モード中かどうかを判断する。ステップ５１で“ＮＯ”であれば、つまり、警戒モード中でなければ、ステップＳ５１へ戻る。一方、ステップＳ５１で“ＹＥＳ”であれば、つまり、警戒モード中であれば、ステップＳ５３で、予約コマンドをメールサーバ１４へ送信し、電子メールの送信を予約する。
【０１０２】
続くステップＳ５５では、タイマをリセットおよびスタートする。図６では省略したが、データ記憶領域４０４にはタイマ（カウンタ）が設けられ、ステップＳ５５では、このタイマがリセットおよびスタートされる。次のステップＳ５７では、タイマのカウント値が第４所定時間よりも少し短い時間すなわち第５所定時間を経過したかどうかを判断する。
【０１０３】
ステップＳ５７で“ＮＯ”であれば、つまり、タイマのカウント値が第５所定時間を経過していなければ、ステップＳ５７へ戻る。一方、ステップＳ５７で“ＹＥＳ”であれば、つまり、タイマのカウント値が第５所定時間を経過すれば、ステップＳ５９で、解除コマンドをメールサーバ１４へ送信し、電子メールの送信の予約を取り消し、ステップＳ５１へ戻る。
【０１０４】
一方、メールサーバ１４のＣＰＵは、予約送信処理を開始すると、ステップＳ７１で、電子メールの送信の予約を受けたかどうかを判断する。つまり、メールサーバ１４のＣＰＵは、画像形成装置１２からの予約コマンドを受信したかどうかを判断する。
【０１０５】
ステップＳ７１で“ＮＯ”であれば、つまり、電子メールの送信の予約を受けていなければ、ステップＳ７１へ戻る。一方、ステップＳ７１で“ＹＥＳ”であれば、つまり、電子メールの送信の予約を受ければ、ステップＳ７３で、タイマをリセットおよびスタートする。このタイマは、メールサーバのＲＡＭに設けられる。
【０１０６】
続いて、ステップＳ７５では、電子メールの送信の予約を取り消すかどうかを判断する。つまり、メールサーバ１４のＣＰＵは、画像形成装置１２からの解除コマンドを受信したかどうかを判断する。ステップＳ７５で“ＹＥＳ”であれば、つまり、電子メールの送信の予約を取り消す場合には、ステップＳ７７で、電子メールの送信の予約を取り消し、ステップＳ７１へ戻る。
【０１０７】
一方、ステップＳ７５で“ＮＯ”であれば、つまり、電子メールの送信の予約を取り消さない場合には、ステップＳ７９で、タイマのカウント値が第４所定時間を経過したかどうかを判断する。
【０１０８】
ステップＳ７９で“ＮＯ”であれば、つまり、タイマのカウント値が第４所定時間を経過していなければ、ステップＳ７５に戻る。一方、ステップＳ７９で“ＹＥＳ”であれば、つまり、タイマのカウント値が第４所定時間を経過すれば、ステップＳ８１で、予約された管理者宛ての電子メールを送信し、ステップＳ７１へ戻る。
【０１０９】
第２実施例によれば、第１実施例と同様に、報知用のバッテリを設けずに、警戒モード中に商用電源９０が遮断されたことを報知する報知処理およびネットワーク１６が遮断されたことを報知する報知処理が実行可能である。
【０１１０】
また、第2実施例によれば、警戒モードにおいて、ネットワーク１６が遮断された場合であっても、ネットワーク１６が遮断されたことのメッセージを記載した電子メールを管理者宛てに送信することができる。つまり、ネットワーク１６が遮断されたことを管理者に報知することができる。
【０１１１】
なお、第１実施例および第２実施例では、管理者宛てに電子メールを送信するように設定してあるが、限定される必要はない。他の例では、電子メールは警備員のような他の特定の人物宛てに送信されてもよい。
【０１１２】
また、上述の各実施例で示した具体的な数値等は一例であり、実際の製品において、適宜変更可能である。
【０１１３】
さらに、上述の各実施例で示したフロー図は一例であり、同じ効果が得られる場合には、各ステップの順番は任意に変更可能である。
【符号の説明】
【０１１４】
１０  …情報処理システム
１２  …画像形成装置
１４  …メールサーバ
２２  …メインＣＰＵ
２４  …ＲＡＭ
２６  …タッチパネル制御回路
２８  …タッチパネル
３０  …表示制御回路
３２  …ディスプレイ
３４  …画像形成部
３６  …画像読取部
３８  …音声出力部
４０  …人感センサ
４２  …有線通信部
４４  …ＥＥＰＲＯＭ
４６  …電源制御ＣＰＵ
４８  …電源制御回路
５０  …電源部
５２  …電源ボタン
７０  …コンセントプラグ
７２  …主電源スイッチ
７４  …常駐電源
７６  …メイン電源
７８  …電源ボタン
９０  …商用電源
９２  …ブリッジダイオード
９４、１０２  …電解コンデンサ
９６、１０８  …トランス
９８  …ＦＥＴ
１００、１１０  …ダイオード
１０４、１０６  …出力端子
１１２  …ＦＷ信号生成器
【図１】
2020060702.tif 000003
【図２】
2020060702.tif 000004
【図３】
2020060702.tif 000005
【図４】
2020060702.tif 000006
【図５】
2020060702.tif 000007
【図６】
2020060702.tif 000008
【図７】
2020060702.tif 000009
【図８】
2020060702.tif 000010
【図９】
2020060702.tif 000011